(57)【要約】      （修正有） 【課題】紙幣投入装置のユニット体と自動販売機などの外筐部材との間を補強し、前記ユニット体の構造の違いに対応する防盗カバー装置を提供する。【解決手段】紙幣収納ボックス２と、これに取り付けられて紙幣を紙幣収納ボックス２内に送給する紙幣投入ユニットとを有する紙幣投入装置１を保護するため、紙幣収納ボックス２の外面に固定される平板状のベース部１１と、ベース部１１と一体で、紙幣投入ユニット部を覆うユニット収容部１２と、ベース部１１又はユニット収容部１２に設けられ、紙幣収納ボックス２に結合される取付部とを有し、ユニット収容部１２は、所定の段差ｄ１を付けてベース部１１から所定の寸法立ち上がり成形された段差部と、この段差に略等しい高さの側壁部１７と、上面に形成され紙幣投入装置１の紙幣投入用のスリット孔に対応する開口部１４とが設けられており、開口部１４の幅寸法はスリット孔の幅寸法よりも大きい。【選択図】図３
0003203890.tif 000002
【実用新案登録請求の範囲】
【請求項１】
紙幣収納ボックスと、この紙幣収納ボックスに取り付けられ、投入された紙幣を紙幣収納ボックス内に送給する紙幣投入ユニットとを有する紙幣投入装置を保護する防盗カバー装置において、
前記紙幣収納ボックスの外面に当接してこの紙幣収納ボックスに固定される平板状のベース部と、
前記ベース部と一体的に設けられ、前記紙幣投入ユニット部を覆うユニット収容部と、
前記ベース部又はユニット収容部に設けられ、前記紙幣収納ボックスに結合される取付部とを有し、
前記ユニット収容部は、所定の段差を付けてベース部から所定の寸法立ち上がり成形された段差部と、この段差に略等しい高さの側壁部と、上面に形成され紙幣投入装置の紙幣投入用のスリット孔に対応する開口部とが設けられており、
前記開口部の幅寸法（Ｗ）は、前記スリット孔の幅寸法（Ｖ）よりも大きな幅寸法、すなわち、
Ｖ  ＜  Ｗ
の関係に設定されており、
前記段差は前記紙幣投入ユニット部の高さをカバーする寸法を有する、
ことを特徴とする防盗カバー装置。
【請求項２】
前記ユニット収容部の開口部の中には紙幣受け入れ用のピース部材が嵌合取り付けされていることを特徴とする請求項１記載の防盗カバー装置。
【請求項３】
前記ユニット収容部の開口部の幅寸法（Ｗ）と紙幣投入装置のスリット４の幅寸法（Ｖ）の間における、
Ｖ  ＜  Ｗ
の関係はセンチメートルレベルの差であることを特徴とする請求項１記載の防盗カバー装置。
【請求項４】
前記ユニット収容部の開口部の幅寸法（Ｗ）と紙幣投入装置のスリット４の幅寸法（Ｖ）の間における、
Ｖ  ＜  Ｗ
の関係は数倍であることを特徴とする請求項１記載の防盗カバー装置。
【考案の詳細な説明】
【技術分野】
【０００１】
本考案は、防盗カバー装置、特に機種ごとに寸法が異なった自動販売機の紙幣投入装置に対して、紙幣投入装置のユニット体とこのユニット体の周辺外部を覆う外筐部材との間に設置されてユニット体を保護する防盗カバー装置に関するものである。
【背景技術】
【０００２】
従来、各種自動販売機や運賃精算機などの金銭取扱い機器（以下、自動販売機で代表させる）にはユーザ（顧客）が支払いのための紙幣を投入する紙幣投入装置が取り付けられている。この紙幣投入装置は、ユニット体として自動販売機の中に設置され、紙幣投入口（スリット状の開口部）を外部に露出させた状態で自動販売機の外筐部材すなわちボックス体に覆われて保護されている。このような構成の自動販売機においては、紙幣投入装置のユニット体を外筐部材によって覆っており、外筐部材そのものが紙幣投入装置のユニット体に対する防盗カバーを構成している。紙幣投入口に対応する外筐部材部分には開口が設けられ、自動販売機の機種によっては、上記開口の部分に樹脂などの材質から成る縁取り部材が取り付けられたものもある。
【先行技術文献】
【特許文献】
【０００３】
【特許文献１】特開２００３−０５１０５５号公報
【考案の概要】
【考案が解決しようとする課題】
【０００４】
上述したような紙幣投入装置のユニット体に対する防盗カバーにあっては、外筐部材で周囲を覆われて外部から隔絶され保護されているが、外筐部材は自動販売機全体を形成したり、内部の各種ユニットのレイアウトを考慮したりといったボックス体としての役割があり、紙幣投入装置のユニット体に対する防盗について特別な工夫を凝らすということはできない。そのため、紙幣投入装置のユニット体と外筐部材との間では、紙幣投入口の周辺において当該紙幣投入口と外筐部材との間に隙間が出来やすく、この隙間にドライバー工具や梃子金具を差し込んでこじ開けられ、紙幣投入装置内の金銭を取られるという被害が生じていた。
【０００５】
本考案は、上述したような事情に鑑みてなされたものであり、その目的は、自動販売機などに設置される紙幣投入装置のユニット体と自動販売機などの外筐部材との間を補強し、しかもこのユニット体の構造の違いにも対応することにより汎用性を向上させた防盗カバー装置を提供することにある。
【課題を解決するための手段】
【０００６】
本考案は上記目的を達成するため、紙幣収納ボックスと、この紙幣収納ボックスに取り付けられ、投入された紙幣を紙幣収納ボックス内に送給する紙幣投入ユニットとを有する紙幣投入装置を保護する防盗カバー装置であって、前記紙幣収納ボックスの外面に当接してこの紙幣収納ボックスに固定される平板状のベース部と、前記ベース部と一体的に設けられ、前記紙幣投入ユニット部を覆うユニット収容部と、前記ベース部又はユニット収容部に設けられ、前記紙幣収納ボックスに結合される取付部とを有し、前記ユニット収容部は、所定の段差を付けてベース部から所定の寸法立ち上がり成形された段差部と、この段差に略等しい高さの側壁部と、上面に形成され紙幣投入装置の紙幣投入用のスリット孔に対応する開口部とが設けられており、前記開口部の幅寸法（Ｗ）は、前記スリット孔の幅寸法（Ｖ）よりも大きな幅寸法、すなわち、Ｖ  ＜  Ｗの関係に設定されており、  前記段差は前記紙幣投入ユニット部の高さをカバーする寸法を有する、ことを特徴とする。この構成により、自動販売機などの紙幣投入装置のユニット体と外筐部材との間を補強でき、しかもこのユニット体の構造の違いにも対応することにより汎用性を向上させることができる。
【０００７】
上記防盗カバー装置において、ユニット収容部の開口部の中には紙幣受け入れ用のピース部材が嵌合取り付けすることもできる。これにより大寸法の開口部の隙間を埋めて密閉状態にすることができる。
【０００８】
また、ユニット収容部の開口部の幅寸法（Ｗ）と紙幣投入装置のスリット４の幅寸法（Ｖ）の間における、Ｖ  ＜  Ｗの関係はセンチメートルレベルの差にすることもできる。これにより、紙幣投入ユニット部の構造の違いに対応する汎用性をさらに向上させることができる。
【０００９】
また、前記ユニット収容部の開口部の幅寸法（Ｗ）と紙幣投入装置のスリット４の幅寸法（Ｖ）の間における、Ｖ  ＜  Ｗの関係は数倍に設定することができる。これにより、紙幣投入ユニット部の構造の違いに対応する汎用性をさらに向上させることができる。
【考案の効果】
【００１０】
本発明によれば、自動販売機などの紙幣投入装置の紙幣投入ユニット部と外筐部材との間を補強でき、しかもこの紙幣投入ユニット部の構造の違いにも対応することにより汎用性を向上させることができる。
【図面の簡単な説明】
【００１１】
【図１】本考案の一実施の形態に係る防盗カバー装置を組み込んだ紙幣投入装置の構成図である。
【図２】上記実施の形態に係る防盗カバー装置の平面図である。
【図３】上記実施の形態に係る防盗カバー装置の側面図である。
【考案を実施するための形態】
【００１２】
図１から図３を用いて本考案の実施の形態を説明する。図１は、本考案の一実施の形態に係る防盗カバー装置が適用される紙幣投入装置を示す平面図である。
【００１３】
この紙幣投入装置１は自動販売機内に備え付けられるものであり、紙幣収納ボックス２と、この紙幣収納ボックス２に取り付けられ、自動販売機の外部から投入された紙幣を受け入れる紙幣投入ユニット３とを備えている。紙幣収納ボックス２は内部が中空の箱から成り、複数の紙幣が収納できる寸法に成形されている。紙幣投入ユニット３は、図１に示されるように紙幣収納ボックス２の外面に固定取り付けされ、外面には紙幣を受け入れるためのスリット孔４を有している。紙幣投入ユニット３のスリット孔４は紙幣収納ボックス２の中空内部に連通しており、また、このスリット孔４の周辺の紙幣投入ユニット３内部には外部からスリット孔４に差し込まれた紙幣を紙幣収納ボックス２の中空内部へ送給する送り機構が設けられている。また、紙幣収納ボックス２の基端部（図１中、手元部分）及び先端部（図１中、先方の隠れた部分）にはそれぞれ、同様のアングル形状に成形された支持フランジ５（基端側を５ａ、先端側を５ｂとする）が取り付けられている。支持フランジ５ａ、５ｂには部品取り付け用の切欠溝６（基端側を６ａ、先端側を６ｂとする）が形成されている。
【００１４】
図２及び図３は上記紙幣投入装置１に取り付けられて当該紙幣投入装置１を保護する防盗カバー装置を示し、図２は平面図、図３は側面図である。この防盗カバー装置１０は、防盗カバー装置１０の本体となる長方形状で平板状のベース部１１と、この長方形状のベース部１１の一端側においてベース部１１に一体的に設けられたユニット収容部１２と、ベース部１１の端部（基端側）及びユニット収容部１２の端部（先端側）に設けられた取付フランジ１３（基端側を１３ａ、先端側を１３ｂとする）とを有して成る。
【００１５】
ベース部１１は、紙幣投入装置１の紙幣収納ボックス２の外面に当接（平面部分２ａに面接触）してこの紙幣収納ボックス２に固定される。ユニット収容部１２は、ベース部１１のレベル面１１ａから所定の段差ｄ１だけ立ち上がって概略逆箱形状に形成され、紙幣投入装置１の紙幣投入ユニット３を覆う。この明細書において、「逆箱形状」とは凹形状の箱を伏せた状態の形状をいう。上記ユニット収容部１２の上面（箱の底に当たる）には、紙幣投入装置１の紙幣投入ユニット３のスリット孔４に対応して開口部１４が設けられている。開口部１４は、紙幣投入装置１の種類によって紙幣投入ユニット３のスリット孔４の位置或いは幅寸法にバリエーションが生じることに対応すべく、スリット孔４の幅寸法よりも大きな幅寸法Ｗに設定されており、この開口部１４の中に紙幣受け入れ用のピース部材１６が嵌合取り付けされている。これにより大寸法の開口部１４とスリット孔４の隙間を埋めて密閉状態にすることができる。開口部１４の幅寸法Ｗとスリット孔４の幅寸法（Ｖとする）の差は数ｍｍ（ミリメートル）といったレベルでもよいがそれよりも大きく、１〜３ｃｍ（センチメートル）の差に設定するか、または開口部１４の幅寸法Ｗはスリット孔４の幅寸法Ｖの３〜５倍程度に設定することも可能である。
【００１６】
取付フランジ１３ａはベース部１１のレベル面１１ａに対して所定の段差ｄ２だけ立ち下がって延びており、紙幣収納ボックス２の一端に設けられた支持フランジ５ａに対応している。取付フランジ１３ｂもまたベース部１１のレベル面１１ａに対して所定の段差ｄ２だけ立ち下がって延びており、紙幣収納ボックス２の他端に設けられた支持フランジ（図示してない）に対応している。また、取付フランジ１３ａには切込み１５ａが形成され、この切込み１５ａは紙幣収納ボックス２の支持フランジ５ａに形成された切欠溝６ａに対応している。取付フランジ１３ｂには、防盗カバー装置１０の長手方向に細長く形成されたスリット孔１５ｂが形成され、このスリット孔１５ｂは紙幣収納ボックス２の上記他端に設けられた支持フランジに形成された切欠溝（図示してない）に対応している。また、ユニット収容部１２の側部には、その頂部と一体になった側壁部１７が設けられている。
【００１７】
以上の構成において、防盗カバー装置１０は自動販売機などに設置された紙幣投入装置１に上面から取り付けられる。この取り付けにより、防盗カバー装置１０のベース部１１は紙幣収納ボックス２の面に対接し、またユニット収容部１２は紙幣投入ユニット３を覆うようにして配置される。ユニット収容部１２は防盗カバー装置１０の長手方向に段差ｄ１が設けられているだけでなく側面側に側壁部１７も有しているため、紙幣投入ユニット３は上面及び側面（４周）がユニット収容部１２によって取り囲まれる。
【００１８】
また、防盗カバー装置１０の開口部１４との幅寸法Ｗと紙幣投入装置１のスリット孔４の幅寸法Ｖの間では、
Ｖ  ＜  Ｗ
の関係がセンチメートルレベル（例えば１〜３ｃｍ程度）の差もしくは数倍（例えば３〜５倍程度）の比率に設定されているから、開口部１４とスリット孔４の相対位置にバラツキがあっても充分に対応することができる。そして、防盗カバー装置１０の基端部においては、取付フランジ１３ａと紙幣投入装置１の支持フランジ５ａとの間で切込み１５ａ及び切欠溝６ａに装着されたボルト、ナット等の締結部材により締め付け固定が行われる。また防盗カバー装置１０の先端部においては、取付フランジ１３ｂとこれと対応位置関係にある紙幣投入装置１の支持フランジとの間でスリット孔１５ｂ及び切欠溝に装着されたボルト、ナット等の締結部材により締め付け固定が行われる。
【００１９】
以上の取り付け操作により、防盗カバー装置１０が紙幣投入装置１に一体的に取り付けられる。これにより、紙幣投入装置１は防盗カバー装置１０によって完全に防護され、自動販売機等の外部から衝撃が加えられても容易には破壊されない。
【産業上の利用可能性】
【００２０】
本考案によれば、自動販売機などに設置される紙幣投入装置のユニット体と自動販売機などの外筐部材との間に、紙幣投入装置の紙幣投入部分の寸法バラツキに柔軟に対応し得る防盗カバー装置を取り付けることにより汎用性の高い防盗カバー装置による盗難防止を図ることができる。
【符号の説明】
【００２１】
１    紙幣投入装置
２  紙幣収納ボックス
３  紙幣投入ユニット
４  スリット孔
５、５ａ、５ｂ  支持フランジ
６、６ａ、６ｂ  切欠溝
１０  防盗カバー装置
１１  ベース部
１２  ユニット収容部
１３、１３ａ、１３ｂ  取付フランジ
１４  開口部
１５ａ  切込み
１５ｂ  スリット孔
１６  ピース部材
１７  側壁部
ｄ１  段差
【図１】
0003203890.tif 000003
【図２】
0003203890.tif 000004
【図３】
0003203890.tif 000005